(57)【要約】【課題】サブフィールド法のように複数のサブフィールドを重ね併せることにより１枚の映像を表示した場合に、サブフィールドそれぞれから発生する残光に対してはクロストークキャンセルができない。【解決手段】１フレームの映像に対応する映像信号であるフレーム信号を、前記フレーム信号に対応する複数のサブフィールドに変換するサブフィールド変換部１０４と、と前記複数のサブフィールドにおける個々のサブフィールドに対して、輝度重みと、前記複数のサブフィールド内における発光位置とを設定する駆動パラメータ設定部と、前期フレーム信号の信号レベルと、前記設定された輝度重みと、発光位置とに基づいて、前記複数のサブフィールドに対応するフレーム信号の漏れ量を計算する算出部と、前記漏れ量を、前記フレーム信号の次に前記サブフィールド変換部に入力されるフレーム信号の信号レベルから減算する減算部と、を備える映像信号処理装置とする。【選択図】図１
2012178775.tif 000002
【特許請求の範囲】
【請求項１】
１フレームの映像に対応する映像信号であるフレーム信号を、前記フレーム信号に対応する複数のサブフィールドに変換するサブフィールド変換部と、
前記複数のサブフィールドにおける個々のサブフィールドに対して、輝度重みと、前記複数のサブフィールド内における発光位置とを設定する駆動パラメータ設定部と、
前期フレーム信号の信号レベルと、前記設定された輝度重みと、発光位置とに基づいて、前記複数のサブフィールドに対応するフレーム信号の漏れ量を計算する算出部と、
前記漏れ量を、前記フレーム信号の次に前記サブフィールド変換部に入力されるフレーム信号の信号レベルから減算する減算部と、
を備える映像信号処理装置。
【請求項２】
前記映像信号が立体映像信号の時のみ、
前記減算部による減算が行われる、
請求項１記載の映像処理装置。
【発明の詳細な説明】
【技術分野】
【０００１】
本発明は映像表示装置に関する。より詳しくは、時分割表示方式によって立体映像を表示可能な映像表示装置であって、クロストークの発生による画質の低下を防ぐことの可能な映像表示装置に関する。
【背景技術】
【０００２】
近年、プラズマディスプレイパネル（以下単にＰＤＰと略す）を用いて、立体映像を表示する映像表示装置の開発が積極的に行われている。映像表示装置が立体映像を表示する手法としては時分割表示方式が一般的である。時分割表示方式とは、映像表示装置の使用者に対して交互に異なる映像を表示することによって立体映像を知覚させる方式である。表示される映像は、互いに視差を有する右目用映像と左目用映像からなる。使用者はシャッター付きメガネを装着して表示される映像を鑑賞する。シャッター付きメガネは右目の視界を遮るシャッターと左目の視界を遮るシャッターを備える。右目用映像が写し出された際は、左目側のシャッターが閉じることによって、この映像を右目で見て、左目用映像が写し出された際は、右目側のシャッターが閉じることによって、この映像を左目で見る。
【０００３】
映像表示装置が立体映像を表示する具体的な処理を説明する。表示装置は、表示パネルに映し出される右目用映像と左目用映像とが切り替わるタイミングに同期させて、右目用レンズと左目用レンズとに配置した液晶フィルタのシャッター開閉のタイミングを切り替える。すなわち、右目用映像に切り替わるタイミングに同期させて、右目用レンズに配置した液晶フィルタのシャッターを開いて光を通過させ、左目用レンズに配置した液晶フィルタのシャッターを閉じて光を遮断し、右目だけに右目用映像を見せる。左目用映像に切り替わるタイミングに同期させて、左目用レンズに配置した液晶フィルタのシャッターを開いて光を通過させ、右目用レンズに配置した液晶フィルタのシャッターを閉じて光を遮断し、左目だけに左目用映像を見せる。右目用映像と左目用映像との切り替えタイミングと、液晶フィルタのシャッター開閉のタイミングとは、表示パネルと眼鏡とを無線や有線で接続して同期のタイミングを取る。これを交互に繰り返し続けることによって、視聴者は、右目用映像と左目用映像とから立体的な映像を見ることができる。
【０００４】
立体映像を表示する映像表示装置が有する課題の一つにクロストークの問題がある。クロストークは片目用の映像が、他方の目に視覚されてしまうことによって生じる。クロストークが生じると、使用者が立体映像を正確に鑑賞することができない。
【０００５】
クロストークが生じる原因は映像の残光である。より正確に言えば、ＰＤＰ表面から発生する残光である。映像は映像信号がＰＤＰに入力されることによって、ＰＤＰに表示される。ＰＤＰの表面には無数の蛍光体が配置されている。この蛍光体が連続的なパターンで発光することによってＰＤＰは映像を表現している。ところが蛍光体表面はわずかに光が残留する性質を持つ。よって映像信号が切り替わった後でも、短い期間であるがＰＤＰは以前に表示した映像を表示してしまう。つまり、時分割表示方式においては、左目用映像が右目用映像に漏れ込んでしまうことになる。この漏れ込みにより生じる映像は漏れ量と呼ばれる。
【０００６】
このようなクロストークの問題に対して、様々な解決法が考えられてきた。その代表的なものに、以前の映像からの漏れ量を次の映像から減算する方法がある（特許文献１参照）。入力映像に対して所定の係数αを乗算することにより漏れ量を計算し、引き続く映像からその漏れ量を引くという方法である。αの量を上手く定義できれば理論上はクロストークを防止できることができる。
【先行技術文献】
【特許文献】
【０００７】
【特許文献１】特開２００１−５４１４２号公報
【発明の概要】
【発明が解決しようとする課題】
【０００８】
しかしながら前記従来の技術によってもクロストークの問題は解決されない。特許文献１においては、漏れ量を算出する係数値αはあらかじめ映像信号から帰納的に計算するものとされている。映像信号に対応するαが決定されていれば、理論上はクロストークを防止できるという考え方である。
【０００９】
ところが、ＰＤＰにおいては単純に映像信号から漏れ量が一意に定まるものではない。つまり、同じ映像を表現するための映像信号Ａと映像信号Ｂがあったとしても、表現された映像同士で漏れ量が異なるということがあり得る。
【００１０】
同じ映像で漏れ量が異なる理由を説明する。ＰＤＰは一枚の映像（フレーム）を表現するために、瞬断的に切り替わる複数の異なる映像（サブフィールド）を重ね合わせる動作を行う。この表示方法をサブフィールド法という。使用者はサブフィールドを合成したものを一枚の映像として知覚しているのである。
【００１１】
サブフィールド法について概略を説明する。複数のサブフィールドを異なる長さで表示することによって、映像の階調を表現することがサブフィールド法の目的である。一枚の映像を表現するサブフィールドの数は４〜１４枚が通常用いられる。一枚のサブフィールドは互いに異なる長さの表示期間を持つ。この長さの設定方法について説明する。ＰＤＰは一回の放電で一瞬だけ画像を表示する。この放電をサブフィールド中で何回行うかが、サブフィールドの表示期間と言える。この放電回数（＝発光回数）をサブフィールドの重みと呼ぶ。たとえば、サブフィールドを８枚順に表示するとして、その重みが、１，２，４，８，１６，３２，６４，１２８の順序で設定されているとする。このようにすると、２５６段階の階調表現が可能である。例えば１０という明るさの映像を表示する場合は２枚目と４枚目のサブフィールドを表示させればよい。
【００１２】
サブフィールド法の特性を考慮すると、特許文献１の技術を簡単に適用することはできない。サブフィールド重み付けの順序や、表示するサブフィールドによって漏れ量が異なるからである。上述したように、残光は映像によって生じる。サブフィールドも映像の一種である。よって、正確に言えば、ＰＤＰにおいては、映像信号ではなく、サブフィールド一枚一枚が残光を発生する。すると、サブフィールドの重み付けの順序が漏れ量に大きな影響を与えていることがわかる。残光は時間と共に減少する。同じ量の残光が発生したとしても、その残光が次の映像に漏れ量として漏れこむか否かはいつその残光が発生したかと関係する。つまり、同じ明るさの映像が表現されたとしても、どの重みのサブフィールドが、どの時点で発光されたのかによって、どれほど残光が発生してその残光のうちどれほどが漏れ量となるのかが異なる。ここで、１，２，４，８，１６，３２，６４，１２８という順序で重み付けがされているＰＤＰ（Ａ）と、１２８，６４，３２，１６，８，４，２，１という順序で重み付けがされているＰＤＰ（Ｂ）とを考える。１０という明るさの映像を表示しても、ＰＤＰ（Ａ）は殆ど漏れ量が発生しない。一方ＰＤＰ（Ｂ）は漏れ量が発生する。なぜならば、ＰＤＰ（Ａ）においては２枚目と４枚目という比較的早めのサブフィールドが点灯し、かつ、発光回数が少ないから残光は次の映像にまで漏れこまない。一方ＰＤＰ（Ｂ）は、発光回数こそ同じであるが、４枚目と７枚目という比較的遅めのサブフィールドが点灯するので残光が次の映像に漏れこむ。
【００１３】
つまり、従来の技術では、ＰＤＰにおけるクロストークを完全には防止できていなかった。
【課題を解決するための手段】
【００１４】
前記従来の課題を解決する為に、本発明の映像信号処理装置は、１フレームの映像に対応する映像信号であるフレーム信号を、前記フレーム信号に対応する複数のサブフィールドに変換するサブフィールド変換部と、前記複数のサブフィールドにおける個々のサブフィールドに対して、輝度重みと、前記複数のサブフィールド内における発光位置とを設定する駆動パラメータ設定部と、前期フレーム信号の信号レベルと、前記設定された輝度重みと、発光位置とに基づいて、前記複数のサブフィールドに対応するフレーム信号の漏れ量を計算する算出部と、前記漏れ量を、前記フレーム信号の次に前記サブフィールド変換部に入力されるフレーム信号の信号レベルから減算する減算部と、を備える映像信号処理装置。
とした。
【発明の効果】
【００１５】
本発明によれば、各サブフィールドによる漏れ量を総和して計算し、次フレームから減算するのでより理想的にクロストークを防止することができる。
【図面の簡単な説明】
【００１６】
【図１】実施の形態１にかかる映像信号処理装置の機能ブロック図
【図２】サブフィールド信号の概念を表す模式図
【図３】αの値を説明するための図
【図４】実施の形態１にかかる映像処理装置の動作状態を表すチャート図
【発明を実施するための形態】
【００１７】
（実施の形態１）
以下本発明の一実施の形態について図面を参照しながら説明する。
＜機器の構成＞
まず初めに、図１を参照しながら本実施の形態における映像信号処理装置の構成について説明する。図１は実施の形態１にかかる映像信号処理装置の機能ブロック図である。以下、機能ブロック図に示された各要素について説明する。
【００１８】
入力部１０１は、映像信号が入力される部分である。映像信号は様々な要素から生成される信号である。例えば、映像信号は放送信号を復号することによって得られた信号であってもよいし、内部、あるいは外部に接続されたハードディスクドライブや、メディアプレーヤーからの信号でも良い。映像信号は緑、青、赤の三原色色信号のいずれかであり、残る２つの原色色信号においても同様の信号処理が行われる、もしくは処理されない。入力部１０１に入力された映像信号はフレームメモリ１０２と加算部１０３に伝達される。
【００１９】
フレームメモリ１０２は、１フレーム分の映像信号（以下フレーム信号という）を抜き出し蓄積するメモリである。映像信号は入力部１０１から伝達される。伝達された映像信号からフレーム信号が抜き出される。フレーム信号は、次のフレーム信号が書き込まれるまでフレームメモリ１０２に蓄積される。フレーム信号は次のフレーム信号が書き込まれるタイミングで合成部１０９に伝達される。つまり、映像信号はフレームメモリ１０２において、１フレーム分の遅延処理がされる。
【００２０】
加算部１０３は映像信号から漏れ量を減算して第二の映像信号を生成するものである。映像信号は入力部１０１から伝達される。漏れ量とはクロストークの原因になる残光の信号レベルである。具体的には、前フレームで発生した残光のうち、次フレームで表示する映像に混和する残光を、擬似的に映像信号レベルへ換算したものである。漏れ量の算出方法は後述する。第二の映像信号は映像信号から漏れ量を減算することによって得られる。第二の映像信号はサブフィールド変換部１０４へ伝達される。
【００２１】
サブフィールド変換部１０４は、第二の映像信号を１フレーム毎にサブフィールド信号へと変換するものである。
【００２２】
サブフィールド信号について図２を用いて説明する。図２はサブフィールド信号の概念を表す模式図である。サブフィールド信号２００は初期化部２０１と、サブフィールド２０２から２０６と、初期化部２０１とサブフィールド２０２から２０６との間に挿入されるアドレス部２０７を有する。サブフィールド信号２００は第二映像信号における１フレーム分の映像を表現するための信号である。初期化部２０１はパネル１０７に蓄積された電荷をリセットするための信号である。サブフィールド２０２から２０６は、パネル１０７を発光させるためのパルスを複数含む信号である。サブフィールド２０２からサブフィールド２０６は互いに異なるパルス数を含む。アドレス部２０７は、アドレス部２０７に引き続く各サブフィールド（サブフィールド２０２から２０６）によって、パネル１０７が発光する画素を設定する為の信号である。
【００２３】
サブフィールド変換部１０４では、どのサブフィールドがパネル１０７を発光させるかを決定する。例えば、入力された第二の映像信号のフレームに対して、サブフィールド２０３とサブフィールド２０４がパネル１０７を発光させる（サブフィールド２０２、サブフィールド２０５、サブフィールド２０６は点灯させない）、という決定を行う。つまり、サブフィールド変換部１０４が第二の映像信号を１フレーム毎にサブフィールド信号へ変換するとは、当該フレームにおいて、どのサブフィールドがパネル１０７を発光させ、どのサブフィールドがパネル１０７を発光させないという情報を生成することを含む。一般的に言えば、明るい映像を表すフレームほど多くのサブフィールドがパネル１０７を発光させる。どのサブフィールドが何回、パネル１０７を発光させるか（各サブフィールドにいくつのパルスが含まれるか）は後述する駆動パラメータ算出部１０５が設定する。サブフィールド信号２００はパネル駆動部１０６に伝達される。
【００２４】
駆動パラメータ算出部１０５はサブフィールド２０２からサブフィールド２０６の重み付けと発光位置に関する情報である、駆動パラメータを生成するものである。サブフィールドの重み付けとは、どのサブフィールドが何回、パネル１０７を発光させるかを設定することである。つまり、各サブフィールドに、パネル１０７を発光させるパルスがいくつ含まれるかを設定することである。また、サブフィールドの発光位置を決定するとは、どのサブフィールドが１フレーム映像期間内のどのタイミングでパネル１０７を発光させるかを決定するための情報を生成することを含む。重み付けと発光位置は映像信号処理装置の設定状態によって決定される。この設定状態は映像信号処理装置の使用者が設定することも可能である。例えばパネル１０７に表示される映像の画質調整などが、重み付けと発行位置のパラメータに影響を及ぼす。駆動パラメータはパネル駆動部１０６とα算出部１０８に入力される。
【００２５】
パネル駆動部１０６はサブフィールド信号と駆動パラメータとを基にパネル１０７を駆動する信号を生成するものである。サブフィールド変換部１０４から伝達されたサブフィールド信号にはどのサブフィールドがパネル１０７を発光させるかという情報が含まれる。駆動パラメータ算出部１０５から伝達された駆動パラメータには、サブフィールドの重み付けと発光位置に関する情報が含まれる。
【００２６】
パネル駆動部１０６がパネル１０７を駆動する信号を生成する一例を示す。例えば、サブフィールド信号にはサブフィールド２０３とサブフィールド２０４がパネル１０７を発光させるという情報が含まれているとする。一方、駆動パラメータには、サブフィールド２０２は８回、サブフィールド２０３は１２８回、サブフィールド２０４は６４回、サブフィールド２０５は３２回、サブフィールド２０６は１６回、パネル１０７を発光させるという情報と、サブフィールド２０２から２０６の発行順序と発光タイミングに関する情報が含まれているとする。すると、パネル駆動部１０６はサブフィールド２０３の発光タイミングで１２８回パネル１０７を発光させ、サブフィールド２０４の発光タイミングで６４回パネル１０７を発光させるように、パネル１０７を制御するのである。
【００２７】
パネル１０７はパネル駆動部からの制御を受けて、発光するものである。本実施の形態ではプラズマパネルディスプレイを想定しているが、本発明の適用範囲はこれに限定されるものではなく、サブフィールド駆動法によって駆動されるディスプレイに広く適用可能である。
【００２８】
α算出部１０８は駆動パラメータに応じて、αの値を設定するものである。つまり、αの値は輝度重みと、発光位置に基づいて定められる。αの値について図３を用いて説明する。
【００２９】
図３はαの値を説明するための図である。図３において最上段にはサブフィールド信号３００が記載されている。図３において横軸は時間軸である。サブフィールド信号３００の重み付けは、左から順に、８回、１６回、３２回、６４回、１２８回である。サブフィールド信号３００は全てのサブフィールドがパネル１０７を発光させるとする。サブフィールド信号３００の発光位置は図３最下段の矢印で表されている。図３において中段は、サブフィールド信号３００の各サブフィールドの残光を表している。残光３０１から残光３０５はサブフィールド信号３００の各サブフィールドから生じる残光の光量を表す。図３中段の縦軸は残光量の多さを表す。
【００３０】
図３から、残光３０１から残光３０５は各サブフィールドの開始に伴って増加し、各サブフィールドの発光が終了すると減少することがわかる。つまり、残光３０１から残光３０５は略三角形の残光量の履歴を残す。
【００３１】
残光３０１から残光３０５に個別に着目すると、次フレームが開始してからも残光量を有するものがあることがわかる。具体的に説明すると、残光３０１は現フレームにおいて最初にパネルを発光させるサブフィールドに基づく残光であり、かつ発光回数も少ないので、次フレームへは殆ど残光量を有さない。一方、残光３０５は現フレームにおいて最後にパネルを発光させるサブフィールドに基づく残光であり、かつ発光回数が多いので、次フレームの開始時においても残光量の殆どが残る。次フレームにおける、ある時点での残光３０１から残光３０５の残光量の総和は、すなわち漏れ量である。ここである時点とは、次フレームにおいて、次フレームに対応する映像が表示され、使用者がそれを知覚する時点が望ましい。次フレームにおけるある時点での残光３０１から残光３０５の残光量の総和に対応する値がαの値である。αの値は残光量の総和そのものではなく、残光量の総和に対応して決定される値である。すなわち、サブフィールド信号の有する各サブフィールドによって生じる残光量の総和が他のサブフィールド信号と同じならばαの値も同じである。
【００３２】
図３を用いて、αの値を模式的に表したが、実際のαの値は上述したように駆動パラメータから求められる。つまり、αの値は輝度重みと発光位置に基づいて求められる。図３に示されるように、残光量の総和は輝度重みと発光位置に基づいて定められるからである。αの値はサブフィールド信号に対する漏れ率とも表現することができる。αの値を駆動パラメータから求めるには、駆動パラメータを様々に変化させて計測する方法もあるし、１パルスあたりの残光量の増加度と、１単位時間あたりの残光量の減衰率を定義して、駆動パラメータに当てはめることによって求めてもよい。すなわち１パルスあたりの残光量の増加度をＬ、サブフィールドｉ（ｉはサブフィールド（合計ｎ個）の番号とする。）における重みをＧｉ、時間ｔにおける減衰率をＤ（ｔ）、サブフィールドｉの終わりから漏れ量を検出する時点（これは発光位置そのものでもいいし、発光位置に所定の値を加減算したものでもよい）をＴｉとすると、
【００３３】
【数１】
2012178775.tif 000003
と上式のように表すことができる。
算出部１０８で算出されたαの値は合成部１０９に伝達される。
【００３４】
合成部１０９はフレームメモリ１０２において遅延されたフレーム信号とαの値とを演算して漏れ量を求める。フレーム信号とαの値とを乗算して漏れ量を求める例を用いて説明する。フレーム信号は複数の画素の信号レベルの値を含む。ある画素の緑の信号レベルが１００だとする。ここでαの値が０．１だとすると漏れ量は１０である。この演算を全ての画素について行うと、各画素の信号レベルが０．１倍されたフレーム信号が生成される。この生成されたフレーム信号が漏れ量である。フレーム信号をフレームメモリ１０２で遅延させた理由は、当該フレーム信号によって発生する残光量の総和を、当該フレーム信号に帰還させて演算することで、当該フレーム信号の漏れ量を計算するためである。計算された漏れ量は加算部１０３に伝達される。
【００３５】
加算部１０３では、上述のように映像信号から漏れ量を減算して第二の映像信号を生成するものである。よって、現フレーム信号の信号レベルから前フレーム信号の漏れ量を減算することになる。
【００３６】
＜機器の動作＞
上述の映像信号処理装置を用いて、立体映像信号を処理する例を示しながら機器の動作を説明する。
【００３７】
立体映像信号は右目用映像フレームと左目用映像フレームを有する映像信号である。右目用映像フレームと左目用映像フレームは交互に入力部１０１に入力される。パネル１０７は右目用映像と左目用映像を交互に表示する。
【００３８】
使用者はシャッター付きメガネを装着して表示される映像を鑑賞する。シャッター付きメガネは右目の視界を遮るシャッターと左目の視界を遮るシャッターを備える。右目用映像が写し出された際は、左目側のシャッターが閉じることによって、この映像を右目で見て、左目用映像が写し出された際は、右目側のシャッターが閉じることによって、この映像を左目で見る。
【００３９】
図４は実施の形態１にかかる映像処理装置の動作状態を表すチャート図である。ここでは、右目用映像フレームが入力された後の左目用映像フレームを表示する際の映像処理装置の動作について説明する。なお、説明の簡略のため、左目用映像フレームの前の右目用映像フレームは漏れ量が存在しなかったとする。図４において最上段にはフレーム信号４００が記載されている。図４において横軸は時間軸である。サブフィールド信号４００の重み付けは、左から順に、１２８回、６４回、３２回、１６回、８回である。サブフィールド信号４００は全てのサブフィールドがパネル１０７を発光させるとする。サブフィールドの発光位置は特に矢印で明示しないが、図４に示された通りである。
【００４０】
図４において最下段にはメガネシャッタの開閉タイミングチャートが示されている。閉と記載されている区間は右目用のシャッターと左目用のシャッターとの両方が閉じている。左目と記載されている区間は左目用のシャッターのみが開いている。右目と記載されている区間は右目のシャッターのみが開いている。
【００４１】
図４の最上段と最下段を対比すると、サブフィールド信号４００に対応して左目用のシャッターが開いていることがわかる。サブフィールド信号４００は左目用映像フレーム内の信号だからである。図４において中段は、サブフィールド信号４００の各サブフィールドの残光を表している。残光４０１から残光４０５はサブフィールド信号４００の各サブフィールドから生じる残光の光量を表す。図４中段の縦軸は残光量の多さを表す。
【００４２】
上述したように、α算出部１０８は、サブフィールド信号４００に設定される駆動パラメータを基にαの値を算出する。ここで、αの値は左目用映像フレームに引き続く右目用映像フレーム内における、右目用のシャッターの開タイミングで観念されることが望ましい。使用者が右目用映像を知覚するのは右目用のシャッターが開いた時であり、その時に同時にサブフィールド信号４００の各サブフィールドの残光、すなわち漏れ量を知覚することになるからである。
【００４３】
このようにして計算されたαの値が、フレームメモリ１０２に蓄積されていた左目用映像信号と演算されて、サブフィールド信号４００によって発生する漏れ量が求まる。求められた漏れ量は、引き続く右目用映像信号の信号レベルから減算される。このようにすると、左目用映像フレーム内のサブフィールド信号４００によって発生する漏れ量が、引き続く右目用映像信号から減算されることになり、クロストークの問題が解決される。
＜実施の形態１のまとめ＞
本実施の形態における映像信号処理装置は以上のように、各サブフィールドによる漏れ量を総和して計算し、次フレームの信号レベルから減算するので理想的にクロストークを防止することができる。
【００４４】
なお、本実施の形態で説明した映像処理は、映像フレーム間のクロストークの問題を解決するものであるので、左目用映像信号と右目用映像信号からなる立体映像信号を処理する際に特に好適である。一方で、常にこのような映像処理を行うことによる消費電力の増加が懸念される場合がある。よって、別途、映像信号の種類を検出する構成を追加することによって、映像信号が立体映像信号か否かを判別し、立体映像信号の際にのみ映像処理を実施するようにしてもよい。もちろん、立体映像ではない通常の映像信号を処理する際にも前フレームと次フレームとのクロストークによって映像がぼやける場合があるから、本実施の形態で説明した映像処理を通常の映像信号の処理に適用することも可能であることは言うまでもない。
【産業上の利用可能性】
【００４５】
本発明の映像信号処理装置は、サブフィールド法によって映像信号を処理する映像信号処理装置として有用である。
【符号の説明】
【００４６】
１０１    入力部
１０２    フレームメモリ
１０３    加算部
１０４    サブフィールド変換部
１０５    駆動パラメータ算出部
１０６    パネル駆動部
１０７    パネル
１０８    α算出部
１０９    合成部
２００，３００，４００    サブフィールド信号
２０１    初期化部
２０２，２０３，２０４，２０５，２０６    サブフィールド
２０７    アドレス部
３０１，３０２，３０３，３０４，３０５    残光
４０１，４０２，４０３，４０４，４０５    残光
【図１】
2012178775.tif 000004
【図２】
2012178775.tif 000005
【図３】
2012178775.tif 000006
【図４】
2012178775.tif 000007